(57)【要約】【課題】使用者に窮屈な姿勢を強いることなく汚損物の洗浄を行い得、冬期における汚損物の洗浄時にも使用者に不快感を与えないこと。【解決手段】給水配管に分岐接続した給水弁と、汚損物内へ向けて洗浄水を吐水する洗浄ノズルとの配管途中に温水器を配設し、前記給水弁の開放により給水配管から供給される洗浄水を、温水器において所定温度に加熱した状態で洗浄ノズルへ供給して汚損物を洗浄するように構成した。また、洗浄ノズルを構成する可撓性配管の一方端側を、壁面等に固定したガイドバーに摺動可能な状態で嵌着した係止フックに係止するように構成した。【選択図】図１
2006016840.tif 000002
【特許請求の範囲】
【請求項１】
給水配管に分岐接続した給水弁と、汚損物内へ向けて洗浄水を吐水する洗浄ノズルとの配管途中に温水器を配設し、前記給水弁の開放により給水配管から供給される洗浄水を、温水器において所定温度に加熱した状態で洗浄ノズルへ供給して汚損物を洗浄するように構成したことを特徴とする汚損物洗浄装置。
【請求項２】
前記洗浄ノズルは、可撓性管部と吐水部とを備え、前記可撓性管部の一方端側を、壁面等に固定したガイドバーに沿って摺動する係止フックに係止するように構成したことを特徴とする請求項１記載の汚損物洗浄装置。
【発明の詳細な説明】
【技術分野】
【０００１】
本発明は、オストメイト（人工肛門，人工膀胱保有者）が装着しているパウチ（排泄物受袋）や、患者等の尿を入れた尿瓶等の汚損物を洗浄するのに適した汚損物洗浄装置に関する。
【背景技術】
【０００２】
従来、トイレ内に設置した便器を利用して、オストメイトが装着しているパウチや、患者等の尿を入れた尿瓶等の汚損物（以下、単に汚損物と称する）を洗浄するための装置として、分岐水栓に可撓性のホースを介して連結した吐水管と、便器洗浄水用のタンク前部に接着剤または粘着剤等を用いて固定され、前記吐水管を係脱自在に係止するフックとを備え、前記吐水管を便器本体の便鉢内へ向けた状態でフックに係止するか、あるいは、フックから取外して手に持った状態で、分岐水栓に設けた操作ハンドルを操作することにより、洗浄水を吐水管から吐水させて汚損物を洗浄するようにしたものがある（例えば、特許文献１参照）。
【０００３】
【特許文献１】特開平８−２０９８６号公報
【発明の開示】
【発明が解決しようとする課題】
【０００４】
然るに、前記特許文献１記載の技術においては、吐水管を係止するためのフックが便器洗浄水用のタンク前部に固定されているので、前記フックに吐水管を係止した状態で汚損物の洗浄作業を行う場合、前記フックの取付け位置によっては使用者に窮屈な姿勢を強いることとなり、非常に不便であった。
【０００５】
一方、吐水管をフックから取外して手に持った状態で汚損物の洗浄作業を行うようにすれば、使用者に窮屈な姿勢を強いることがなくなる反面、常に片手が吐水管を持つために塞がれているので、前記汚損物を迅速・良好に洗浄することが困難であった。
【０００６】
更に、汚損物の洗浄には、分岐水栓から供給される洗浄水（水道水）を使用しているため、寒冷地等において冬期に汚損物、例えば、オストメイトが装着しているパウチを洗浄する場合、前記パウチはオストメイトの身体に装着したままの状態で洗浄する関係上、吐水管からパウチ内へ向けて吐水される低温の洗浄水がオストメイトの肌（身体）と接触することにより、オストメイトに不快感を与えるという問題があった。
【０００７】
本発明は、前記種々の問題点に鑑み、使用者に窮屈な姿勢を強いることなく迅速・容易に洗浄作業を行なうことが可能で、しかも、冬期においても使用者に不快感を与えることのない汚損物洗浄装置を提供することを目的とする。
【課題を解決するための手段】
【０００８】
前記種々の課題を解決するために、請求項１記載の発明は、給水配管に分岐接続した給水弁と、汚損物内へ向けて洗浄水を吐水する洗浄ノズルとの配管途中に温水器を配設し、前記給水弁の開放により給水配管から供給される洗浄水を、温水器において所定温度に加熱した状態で洗浄ノズルへ供給して汚損物を洗浄するように構成したことを特徴とする。
【０００９】
請求項２記載の発明は、請求項１記載の汚損物洗浄装置において、前記洗浄ノズルは、可撓性管部と吐水部とを備え、前記可撓性管部の一方端側を、壁面等に固定したガイドバーに沿って摺動する係止フックに係止するように構成したことを特徴とする。
【発明の効果】
【００１０】
請求項１記載の発明によれば、給水配管から供給される洗浄水を、温水器において所定温度（汚損物の洗浄に適した温度）に加熱した状態で洗浄ノズルに供給することができるので、冬期において汚損物を洗浄する際に、洗浄水が使用者の肌等に接触したとしても、使用者に不快感を与えるのを確実に防ぐことができる。また、汚損物の洗浄に温水を使用することにより、汚損物に付着している汚れを迅速・容易に洗い流すことが可能となり、この結果、汚損物の洗浄時間を良好に短縮できることはもとより、洗浄水の使用量を低減して水道料金等を良好に節減することができるという利点もある。
【００１１】
請求項２記載の発明によれば、洗浄ノズルを構成する可撓性管部の基端側が係止フックに係止されているので、使用者は洗浄ノズルを手に持つことなく汚損物を迅速・容易に、かつ、清潔に洗浄することが可能となる。また、前記洗浄ノズルは、係止フックをガイドバーに沿って上下方向へ摺動させることにより、使用者の体型（身長等）に合わせて高さ位置を任意に調整することができるとともに、可撓性管部の撓みを利用して吐水部を所望の位置へ傾動・伸長させることができるので、使用者は窮屈な姿勢を強いられることなく、円滑・良好に汚損物を洗浄することが可能となる。
【発明を実施するための最良の形態】
【００１２】
以下、本発明を実施するための最良の形態について、図１ないし図５を参照しながら説明する。はじめに、図１は洋式便器を具備したトイレ内に本発明の汚損物洗浄装置を設置した例を示す斜視図である。図１において、１はトイレ内に設置した洋式便器（以下、単に便器と称する）である。前記便器１の上面には、便座２及び便蓋３が開閉自在に取付けられており、また、後背部には便器洗浄水を貯留するタンク４が設置されている。５は前記タンク４へ便器洗浄水を供給する給水配管である。
【００１３】
次に、１０は前記便器１を具備したトイレ内に設置した本発明の汚損物洗浄装置であり、前記汚損物洗浄装置１０は、図１，２で示すように、大別すると、給水配管５に分岐接続した給水弁１１と、前記給水弁１１に可撓性の給水ホース１２を介して接続した温水器１３と、前記温水器１３に可撓性の給湯ホース１４を介して接続した洗浄ノズル１５とを備えて概略構成されている。以下、前記給水弁１１，温水器１３，洗浄ノズル１５の詳細について説明する。
【００１４】
前記給水弁１１は、例えば、定流量弁からなり、操作レバー１１ａを所定方向へ操作して前記給水弁１１を開放することにより、洗浄水を給水配管５から給水ホース１２を経て温水器１３へ常時一定の流量（汚損物の洗浄に適した流量）で供給する。即ち、使用者は操作レバー１１ａを所定方向へ操作するのみで、前記操作レバー１１ａによって特別に流量調節をする必要がないため、使い勝手が向上し大変利便である。
【００１５】
つづいて、前記温水器１３は、図２で示すように、例えば、洗浄水を所定量貯留することが可能なタンク１３ａと、前記タンク１３ａ内に貯留される洗浄水を所定温度に加熱するヒータ１３ｂと、前記タンク１３ａ内の洗浄水の温度を検出する温度センサ１３ｃと、前記温度センサ１３ｃにより検出した洗浄水の温度に基づいてヒータ１３ｂをＯＮ／ＯＦＦ制御する制御手段１３ｄとを備えて概略構成されており、前記タンク１３ａ内に貯留されている洗浄水は、温度センサ１３ｃが検出した前記洗浄水の温度に基づいて制御手段１３ｄから制御指令を出力してヒータ１３ｂをＯＮ／ＯＦＦ制御することで、常時汚損物の洗浄に適した温度（例えば３８℃）に保持されている。また、給水弁１１の開放により給水配管５から供給される洗浄水（水道水）が、タンク１３ａ内にその下部側から流入すると、これに伴って前記タンク１３ａ内に所定温度に加熱した状態で貯留されている洗浄水（温水）は、順次上方へ押上げられてタンク１３ａの上部側から流出し、給湯ホース１４を経て洗浄ノズル１５へ供給される。
【００１６】
更に、前記洗浄ノズル１５は、図３で示すように、基端側（図３の下側）を給湯ホース１４に接続した金属製の可撓性管部１５ａと、前記可撓性管部１５ａの先端側（図３の上側）に取付けられて、温水器１３から供給される洗浄水（温水）を、オストメイトが装着しているパウチや、患者等の尿を入れた尿瓶等の汚損物（以下、単に汚損物と称する）内へ向けて吐水する軟質の合成樹脂からなる吐水部１５ｂとを備えて概略構成されており、前記吐水部１５ｂは、可撓性管部１５ａの撓みを利用して、図１で示すように、便器１側の所望の位置へ傾動・伸長できるようになっている。
【００１７】
なお、前記吐水部１５ｂの長さ寸法は、例えば、吐水部１５ｂを汚損物内に挿入したときに、該吐水部１５ｂの先端部が汚損物の最奥部付近まで届く程度の長さ寸法（即ち、汚損物の開口部から最奥部までの長さ寸法とほぼ同一かやや短い寸法）であって、かつ、汚損物の非洗浄時に、温水器１３に貯留されている洗浄水がヒータ１３ｂで加熱されることによって膨張した場合に、前記吐水部１５ｂから洗浄水が溢れ出ない程度の長さ寸法に設定するとよい。これにより、洗浄水（温水）を汚損物の最奥部へ向けて良好に吐水させて、前記汚損物を洗浄することができるので、前記最奥部に付着している汚物等の汚れを、温水の使用とも相まって迅速・容易に、かつ、確実に洗い流して、前記汚損物を清潔に保つことが可能となる。また、温水器１３における洗浄水の加熱時に、圧力等を受けて洗浄水が前記吐水部１５ｂから溢れ出るのを阻止して、トイレの床面が水浸しになるのを確実に防ぐことが可能となる。
【００１８】
また、前記可撓性管部１５ａの基端側は、図１，３で示すように、トイレ壁面に垂直な状態で固定したガイドバー２０に沿って摺動する係止フック２１に係止されており、前記係止フック２１をガイドバー２０に沿って上下方向へ摺動させることにより、洗浄ノズル１５の高さ位置を調整できるようになっている。このとき、前記可撓性管部１５ａの基端側と温水器１３とは、可撓性の給湯ホース１４を介して接続されているので、前記のように可撓性管部１５ａを係止する係止フック２１を、ガイドバー２０に沿って上下方向へ摺動させるようにしても、前記係止フック２１の動作に支障を来すようなことは全くない。
【００１９】
なお、前記係止フック２１は、図３で示すように、例えば、常時ガイドバー２０と当接して係止フック２１をガイドバー２０の所定位置に摺動不能に保持するゴム製のパッド２１ａを具備したレバー体２１ｂと、前記レバー体２１ｂを、該レバー体２１ｂに具備したパッド２１ａが常時ガイドバー２０と当接する方向へ押圧・付勢するばね部材２１ｃと、洗浄ノズル１５を構成する可撓性管部１５ａの基端側を係止する係止部２１ｄとを備えて概略構成されており、前記レバー体２１ｂをばね部材２１ｃの付勢力に抗して操作し、支軸２１ｅを中心として図３の反時計方向へ回動させてパッド２１ａとガイドバー２０との当接を解除することにより、前記係止フック２１はガイドバー２０に沿って上下方向へ摺動させたり、周方向へ回動させたりすることが可能となる。
【００２０】
次に、本発明の汚損物洗浄装置１０を使用して、汚損物を洗浄する場合について説明する。はじめに、洗浄ノズル１５の可撓性管部１５ａを、その撓みを利用して屈曲させることにより、前記可撓性管部１５ａの先端側に取付けた洗浄ノズル１５の吐水部１５ｂを、図３，４で示す垂直に起立した状態から、図１で示すように便器１側の所望の位置へ傾動・伸長させる。なお、この際、必要に応じて、前記可撓性管部１５ａの基端側を係止している係止フック２１のレバー体２１ｂをばね部材２１ｃの付勢力に抗して操作し、パッド２１ａとガイドバー２０との当接状態を解除することにより、前記係止フック２１を、図１で示すガイドバー２０の下方位置から図５で示すガイドバー２０の上方位置へ、あるいは、図５で示すガイドバー２０の上方位置から図１で示すガイドバー２０の下方位置へ摺動させて、洗浄ノズル１５の高さ位置調整を行なうようにしてもよい。
【００２１】
つづいて、図１，５で示すように、便器１側の所望の位置へ傾動・伸長させた洗浄ノズル１５の吐水部１５ｂを、洗浄しようとする汚損物（図示せず）の開口部から内部へ挿入し、この状態で、給水配管５に分岐接続した給水弁１１の操作レバー１１ａを所定方向へ操作して、前記給水弁１１を開放する。これにより、前記給水配管５から洗浄水（水道水）が一定の流量で、給水ホース１２を介して温水器１３のタンク１３ａ内へ流入する。
【００２２】
前記のように、給水配管５から供給される洗浄水（水道水）が温水器１３のタンク１３ａ内に流入することにより、前記タンク１３ａ内にヒータ１３ｂによって所定温度に加熱した状態で貯留されている洗浄水（温水）は、順次タンク１３ａの上方へ押上げられて、該タンク１３ａから流出する。なお、このとき、温水器１３のタンク１３ａ内へ流入する洗浄水（水道水）の流量は一定であるため、前記洗浄水（水道水）の流入に伴って温水器１３のタンク１３ａから流出する洗浄水（温水）の流量も一定であることはいうまでもない。そして、前記温水器１３のタンク１３ａから流出した洗浄水（温水）は、給湯ホース１４を介して洗浄ノズル１５へ供給されるとともに、前記洗浄ノズル１５の吐水部１５ｂから汚損物内へ向けて吐水され、前記汚損物を洗浄する。なお、汚損物を洗浄した洗浄水は、前記汚損物の開口部から順次便器１内へ排出される。
【００２３】
このように、本発明においては、給水配管５から供給される洗浄水を、温水器１３において所定温度に加熱した状態で洗浄ノズル１５に供給して、汚損物の洗浄を行うようにしたので、例えば、冬期において、オストメイトが装着しているパウチを洗浄するような場合、前記洗浄ノズル１５の吐水部１５ｂからパウチ内へ向けて吐水される洗浄水がオストメイトの肌（身体）に接触したとしても、前記洗浄水は温水器１３において加熱されて所定温度の温水となっているので、オストメイトに不快感を与えるようなことは全くない。しかも、前記のように、温水を使用して汚損物（パウチ等）を洗浄することにより、前記汚損物に付着している汚れを迅速・容易に洗い流すことが可能となるので、洗浄時間の短縮はもとより、洗浄水の使用量を低減して水道料金等を良好に節減することができるという利点もある。
【００２４】
また、本発明においては、洗浄ノズル１５を構成する可撓性管部１５ａの基端側が、係止フック２１に係止されているので、使用者は洗浄ノズル１５を手に持つことなく、汚損物を迅速・容易に、かつ、清潔に洗浄することができる。その上、前記洗浄ノズル１５を構成する可撓性管部１５ａの基端側を係止した係止フック２１を、該係止フック２１のレバー体２１ｂを操作してパッド２１ａとガイドバー２０との当接を解除した状態で、ガイドバー２０に沿って上下方向へ摺動させることにより、洗浄ノズル１５の高さ位置を任意に調整することができるとともに、洗浄ノズル１５の吐水部１５ｂを可撓性管部１５ａの撓みを利用して便器１側の所望の位置へ傾動・伸長させることができるので、使用者は窮屈な姿勢での汚損物の洗浄を強いられることなく、楽な姿勢で円滑・良好に汚損物を洗浄することが可能となり、大変利便である。
【００２５】
更に、本発明においては、給水弁１１として定流量弁を採用しているので、使用者が前記給水弁１１に設けた操作レバー１１ａを操作するのみで、洗浄水を給水配管５から一定の流量で温水器１３へ供給することが可能となり、この結果、前記操作レバー１１ａによって洗浄水の流量を調整する必要が全くなくなるので、汚損物洗浄装置１０の使い勝手を良好に向上させることができる。
【００２６】
つづいて、汚損物の洗浄を終了する場合は、給水弁１１の操作レバー１１ａを所定方向へ操作することにより、前記給水弁１１を閉鎖する。給水弁１１の閉鎖により、給水配管５から温水器１３へ洗浄水が供給されなくなるため、前記温水器１３から洗浄ノズル１５への洗浄水（温水）の供給も停止される。この後、洗浄ノズル１５の吐水部１５ｂ及び可撓性管部１５ａ内に残留している洗浄水を便器１内へ排出し、前記洗浄ノズル１５を、可撓性管部１５ａの屈曲状態を解除することにより、図１で示す便器１側の所望の位置へ傾動・伸長させた状態から、使用前の状態、即ち、図３，４で示す垂直に起立させた状態へ復帰させる。
【００２７】
このように、本発明においては、汚損物の洗浄終了後、洗浄ノズル１５を図１で示す便器１側へ傾動した状態から、図３，４で示す垂直に起立した状態へ復帰させるようにしたので、便器１を汚損物の洗浄時以外に使用する場合に洗浄ノズル１５が邪魔となり、前記便器１の使用が阻害されるのを良好に防ぐことができる。なお、前記洗浄ノズル１５を構成する可撓性管部１５ａが係止されている係止フック２１は、そのレバー体２１ｂを操作してパッド２１ａとガイドバー２０との当接を解除することにより、前記ガイドバー２０の周方向へ回動させることができるので、必要に応じて前記係止フック２１を回動させ、該係止フック２１に設けた可撓性管部１５ａの基端側を係止するための係止部２１ｄを、便器１とは反対側（便器１から遠ざかる方向）に位置させるようにすれば、便器１の使用時に洗浄ノズル１５が邪魔となるのを良好に回避することができることはもとより、前記便器１周辺の清掃性を良好に向上させることが可能となる。また、図示はしていないが、ガイドバー２０の周囲にカバー等を装着するようにすれば、汚損物の非洗浄時において洗浄ノズル１５等が外部に露出するのを極力避けることが可能となり、この結果、前記洗浄ノズル１５を清潔に保つことができるとともに、トイレ内の美観を良好に向上させることも可能となる。
【００２８】
なお、本発明においては、図１，４，５で示すように、洋式便器１を具備したトイレに汚損物洗浄装置１０を設置した場合を一例として説明したが、これに限定することなく、和式便器を具備したトイレに本発明の汚損物洗浄装置１０を設置するようにしても、同様の効果を得ることができることはいうまでもない。
【００２９】
また、本発明において、温水器１３の構成は、図２で示す構成に限定されるものではなく、例えば、図２で示すように温度センサ１３ｃが検出した洗浄水の温度に基づいて制御手段１３ｄから制御指令を出力してヒータ１３ｂをＯＮ／ＯＦＦ制御する代わりに、洗浄水の温度変化に対応してＯＮ／ＯＦＦするバイメタルスイッチ等を使用して、ヒータ１３ｂをＯＮ／ＯＦＦ制御するようにしてもよい。
【図面の簡単な説明】
【００３０】
【図１】洋式便器を具備したトイレに本発明の汚損物洗浄装置を設置した例を示す斜視図である。
【図２】本発明の汚損物洗浄装置を示す概略構成図である。
【図３】本発明の汚損物洗浄装置における洗浄ノズルとこれを係止する係止フックとを示す要部切欠正面図である。
【図４】本発明の汚損物洗浄装置における洗浄ノズルを垂直に起立させた状態を示す斜視図である。
【図５】本発明の汚損物洗浄装置における洗浄ノズルの高さ位置を調整した状態を示す斜視図である。
【符号の説明】
【００３１】
１  洋式便器
５  給水配管
１０  汚損物洗浄装置
１１  給水弁
１３  温水器
１５  洗浄ノズル
１５ａ  可撓性管部
１５ｂ  吐水部
２０  ガイドバー
２１  係止フック
【図１】
2006016840.tif 000003
【図２】
2006016840.tif 000004
【図３】
2006016840.tif 000005
【図４】
2006016840.tif 000006
【図５】
2006016840.tif 000007